(57)【特許請求の範囲】
【請求項１】
パルス洗浄用フィルタエレメントであって、
（ａ）前記フィルタエレメントは、対向する第１流れ面および第２流れ面と、前記第１流れ面および前記第２流れ面の間の方向に延びている縦溝流路と、前記第１流れ面および前記第２流れ面の間の方向に延びている側壁と、を含む媒体梱包体を含み、
（ｉ）前記第１流れ面は流出面であり、前記第２流れ面は流入面であり、
（ｂ）前記フィルタエレメントは、前記側壁に固定されたガスケットを含み、前記ガスケットは、シール部分と取付部分とを有し、前記シール部分は、前記媒体梱包体の前記側壁から直接延びる少なくとも１インチ（２５．４ｍｍ）長さの平らな表面を有し、かつ前記平らな表面は前記第１流れ面と平らである面と、前記第１流れ面から０.５インチ（１２．７ｍｍ）だけ凹んでいる面との間にあり、
（i）前記ガスケットは、前記取付部分と前記シール部分との間に切り込みを画定し、
（ii）前記シール部分は、頂点で合流するように互いの方向に傾いている、第１角度に傾いた表面と第２角度に傾いた表面とを含み、
（Ａ）前記第１角度に傾いた表面は、前記取付部分から前記頂点に延びており、
（Ｂ）前記第２角度に傾いた表面は、前記平らな表面から前記頂点に延びており、
（Ｃ）前記切り込みは、前記第１角度に傾いた表面と前記取付部分との間でギャップとして画定され、
（iii）前記第１角度に傾いた表面と前記取付部分は基部によって結合されている、
ことを特徴とするフィルタエレメント。
【請求項２】
（ａ）前記媒体梱包体は、筒状でないことを特徴とする請求項１に記載のフィルタエレメント。
【請求項３】
（ａ）前記媒体梱包体は、楕円形であることを特徴とする請求項１または請求項２に記載のフィルタエレメント。
【請求項４】
（ａ）前記媒体梱包体は、丸い端部に結合されたまっすぐな平行側部を有する競馬場形状であることを特徴とする請求項１または請求項２に記載のフィルタエレメント。
【請求項５】
前記基部から前記第１角度に傾いた表面の端部までの垂直方向の距離は、少なくとも０．５インチ（１２．７ｍｍ）であることを特徴とする請求項１乃至請求項４のうちのいずれか１項に記載のフィルタエレメント。
【請求項６】
前記平らな表面は、前記第１流れ面から下向きの離れる方向に０°より大きく２０°未満の角度で傾いていることを特徴とする請求項１乃至請求項５のうちのいずれか１項に記載のフィルタエレメント。
【請求項７】
（ａ）前記フィルタ媒体は、渦巻状構造物であることを特徴とする請求項１乃至請求項６のうちのいずれか１項に記載のフィルタエレメント。
【請求項８】
（ａ）前記第１流れ面から軸方向に延びているハンドル部材をさらに含むことを特徴とする請求項１乃至請求項７のうちのいずれか１項に記載のフィルタエレメント。
【請求項９】
（ａ）中央コア部をさらに含み、前記媒体梱包体が前記コア部の周りに巻き付けられており、
（ｂ）前記中央コア部は、前記第１流れ面の上方に突き出ていて、前記フィルタエレメントを操作するためのハンドル部材を画定することを特徴とする請求項８に記載のフィルタエレメント。
【請求項１０】
集塵器であって、
（ａ）前記集塵器は、汚れた空気の入口部と、浄化した空気の出口部と、内部と、を含むハウジングを有し、
（ｂ）前記集塵器は、ハウジング内部に配置され、複数の開口部を有する多孔板を有し、
（ｃ）前記集塵器は、パネル形式の複数のフィルタエレメントを有し、各フィルタエレメントは、前記多孔板中の前記複数の開口部のそれぞれに取り付けられており、
（i）各フィルタエレメントは、対向する第１流れ面および第２流れ面と、前記第１流れ面および前記第２流れ面との間の方向に延びている縦溝流路と、前記第１流れ面および前記第２流れ面の間の方向に延びている側壁と、を含む媒体梱包体を含み、前記第１流れ面および前記第２流れ面のうちの一方は、流入面であり、他方は、流出面であり、
（ii）各フィルタエレメントは、前記側壁に固定されたガスケットを含み、前記ガスケットは、シール部分と取付部分を有し、前記シール部分は、前記媒体梱包体の前記側壁から直接延びる少なくとも１インチ（２５．４ｍｍ）長さの平らな表面を有し、かつ前記平らな表面は前記第１流れ面と平らである面と、前記第１流れ面から０.５インチ（１２．７ｍｍ）凹んでいる面との間にあり、
（Ａ）前記ガスケットは、前記多孔板に前記シール部分を圧縮することによって、前記多孔板と密閉部を形成し、
（Ｂ）前記ガスケットは、前記取り付け部分と前記シール部分との間に切り込みを画定し、
（Ｃ）前記シール部分は、頂点で合流するように互いの方向に傾いている、第１角度に傾いた表面と第２角度に傾いた表面とを含み、
（１）前記第１角度に傾いた表面は、前記取付部分から前記頂点に延びており、
（２）前記第２角度に傾いた表面は、前記平らな面から前記頂点に延びており、
（３）前記切り込みは、前記第１角度に傾いた表面と前記取付部分との間でギャップとして画定され、
（Ｄ）前記第１角度に傾いた表面と前記取付部分は基部によって結合されており、
（ｄ）前記集塵器は、複数の吹き付けパイプを有し、各吹き付けパイプは、前記パネル形式のフィルタエレメントのそれぞれに、ある角度で流体パルスを向けるように配置されており、前記ある角度は、
（i）前記多孔板中の前記開口部の平面と直角ではなく、
（ii）前記パネル形式のフィルタのそれぞれを通過するろ過流れの一般的な方向と一直線をなしていないことを特徴とする集塵器。
【請求項１１】
（ａ）前記媒体梱包体は、丸い端部に結合されたまっすぐな平行側部を有する競馬場形状であり、
（ｂ）前記フィルタ媒体は渦巻状構造物であることを特徴とする請求項１０に記載の集塵器。
【請求項１２】
（ａ）中央コア部をさらに含み、前記媒体梱包体が前記コア部の周りに巻き付けられており、
（ｂ）前記中央コア部は、前記第１流れ面の上方に突き出ていて、前記フィルタエレメントを操作するためのハンドル部材を画定することを特徴とする請求項１１に記載の集塵器。
【請求項１３】
集塵器に取り付けられたフィルタエレメントを洗浄する方法であって、
（ａ）前記方法は、集塵器ハウジング中の多孔板に密閉されている請求項１記載のフィルタエレメントを提供する工程を有し、前記フィルタエレメントは、前記流出面が、前記多孔板と平らである面と、前記多孔板から０.５インチ（１２．７ｍｍ）だけ凹んでいる面との間にあるように前記多孔板にシールされており、
（ｂ）前記方法は、前記媒体梱包体の上流側にある少なくともいくつかの粒子状物質が前記媒体梱包体から除去されるように、前記流出面にガス噴出物を周期パルスで供給する工程を含むことを特徴とする方法。
【発明の詳細な説明】
【技術分野】
【０００１】
本発明は、加圧されたガス発生器を利用するフィルタエレメントをパルス洗浄する方法に関する。また、本発明は、エアクリーナ、ダストフィルタ、及びパルス洗浄技術を含む装置に関する。
【背景技術】
【０００２】
本出願は、米国以外の全ての国を指定国とする出願人である米国国内企業のドナルドソン会社と、米国のみを指定国とする出願人である米国人のトーマス・Ｄ・ライザーの名において、国際特許出願として２００９年２月２３日に出願されたものであり、２００８年２月２５日に出願された米国仮特許出願第６１/０６７,１７３号の優先権を主張する。
【０００３】
背景技術
エアクリーナ（空気清浄器）あるいは集塵器（dust collector）デバイスは、配管および圧力タンク（リザーバ）から逆流洗浄フィルタ（back flush filter）まで排気ガスを使用する場合がある。そのようなエアフィルタアセンブリの例は、例えば、米国特許番号６,０９０,１７３号、米国特許第４,２１８,２２７号、米国特許第４,３９５,２６９号、米国特許第５,９８０,５９８号、米国特許第６,３２２,６１８号、米国特許第ＤＥ３９０５１１３号、米国特許出願第２００６/０１１２６６７号に記載されており、これらの特許文献を引用により本明細書に合体する。
【先行技術文献】
【特許文献】
【０００４】
【特許文献１】米国特許番号６,０９０,１７３号
【特許文献２】米国特許第４,２１８,２２７号
【特許文献３】米国特許第４,３９５,２６９号
【特許文献４】米国特許第５,９８０,５９８号
【特許文献５】米国特許第６,３２２,６１８号
【特許文献６】米国特許第ＤＥ３９０５１１３号
【特許文献７】米国特許出願第２００６/０１１２６６７号
【発明の概要】
【発明が解決しようとする課題】
【０００５】
これらのフィルタを効果的に洗浄するためには、排気噴出物（ジェット)を洗浄するフィルタ開口部に満たす必要がある。多くの実施例では、フィルタ開口部は、多孔板中の開口部に対応して多孔板に取り付けられている。フィルタをパルス（間欠）洗浄する場合の改良は、好ましいことである。
【課題を解決するための手段】
【０００６】
フィルタのパルス洗浄を向上するためにフィルタエレメントが提供される。フィルタエレメントは、対向する第１流れ面および第２流れ面と、前記第１流れ面および前記第２流れ面の間に延びている側壁と、を有するＺ型媒体の媒体梱包体を含む。ガスケットは側壁に固定されている。ガスケットは、シール部分と取付部分とを有する。シール部分は、少なくとも１インチ長さの平らな表面を有し、前記第１流れ面と平らな面と前記第１流れ面から０.５インチ（１２．７ｍｍ）だけ凹んでいる面との間に配置されている。
【０００７】
別の態様において、集塵器が提供される。前記集塵器は、汚れた空気の入口部と、浄化した空気の出口部と、内部とを含むハウジングと、ハウジング内部に配置された複数の開口部を有する多孔板と、前記多孔板中の前記複数の開口部の各開口部に取り付けらパネル形式の複数のフィルタエレメントと、各吹き付けパイプが前記パネル形式の複数のフィルタエレメントのそれぞれに流体パルスを向けるように配置されている複数の吹き付けパイプと、を含む。フィルタエレメントは、Ｚ型媒体の媒体梱包体と、第１流れ面と平らな面と、前記第１流れ面から０.５インチ（１２．７ｍｍ）だけ凹んでいる面との間にあるガスケットとを含み、ガスケットは多孔板と密閉部を形成する。吹き付けパイプは、前記多孔板中の前記開口部の平面と直角で無い角度で、かつ前記フィルタエレメントを通過するろ過流れの一般的な方向と一直線に並んでいない角度でパルスを向ける。
【０００８】
もう一つの態様において、集塵器中に取り付けられたフィルタエレメントを洗浄する方法は、上記説明したようなフィルタエレメントを提供する工程と、前記Ｚ型媒体の上流側にある少なくともいくつかの粒子状物質を前記Ｚ型媒体から除去するように、下流の流出面に排気噴出物（ジェット）を周期パルスで供給する工程を含む。
【０００９】
本発明に基づくいくつかの選択された利点を有する構成物に対して、本明細書に記載された特徴のすべてが、その構成物中に組み込まれる必要はない。
【図面の簡単な説明】
【００１０】
【図１】本発明の原理を利用するエアーフィルタシステムの１つの実施例の側面図であり側面図の一部を除去した図である。
【図２】本発明の原理を示す概略的な側面図である。
【図３】本発明の原理を示す概略図である。
【図４】本発明の原理に基づいて設計された図１のエアーフィルタシステムで使用可能フィルタエレメントの斜視図である。
【図５】図４のフィルタエレメントの一部の部分拡大断面図である。
【図６】図５で図示されたフィルタエレメントの代替の実施例を示す図である。
【発明を実施するための形態】
【００１１】
図１の１０に、一般にダストフィルタあるいはエアクリーナ（空気洗浄器）システムを示す。図示したシステムは、ハウジング１２を含む。ハウジング１２は、アセンブリの様々な部分の構成を示すために、側部壁パネル１７の一部を取り除いている。上側壁パネル１６は、内壁面１９を有する。この実施例では、空気の入口部２０は、上側壁パネル１６中に配置され、微粒子を含む空気または他の流体は、濾過されていない（汚い）流体チャンバ２２中に導かれる。濾過されていない流体チャンバ２２は、点検蓋（アクセスドア）１３、上側壁パネル１６、対向する側部壁パネル１７、多孔板２８、収集領域またはホッパー２５を部分的に画定する底部表面２３によって画定される。底部基部パネルまたはフレーム２６は、適切な方法で側部壁パネル１７に固定されている。
【００１２】
上記説明したように、多孔板２８は、ハウジング１２の内部に取り付けられている。多孔板２８は、複数の開口部３０を含む。各フィルタエレメントは、例示の実施例では、パネル型フィルタエレメント３２であり、各開口部３０内に取り付けられている。用語「パネル型フィルタエレメント」によって、フィルタ媒体を有するフィルタエレメントは、一般に、濾過される流体がまっすぐに通過する流れでフィルタエレメントを通過することを意味する。パネル型フィルタエレメントは、例えば、ひだ付媒体、深さ媒体、縦溝流路付き媒体、Ｚ型フィルタ構造物を含むＺ型媒体、またはミニＶ型梱包体であり得る。「Ｚ型媒体」によって、複数の縦溝流路と、対向する第１流れ面および第２流れ面と、を有する媒体を意味する。ここで、各縦溝流路は、第１流れ面に（第１流れ面は、濾過される空気が流入する流入面である）隣接する上流部分と、第２流れ面に（第２流れ面は、ろ過された空気がフィルタエレメントが出る流出面である）隣接する下流部分と、を有し、縦溝流路のうちの選択された縦溝流路は、上流部分で開いているが下流部分で閉じており、一方、縦溝流路のうちの選択された縦溝流路は、上流部分で閉じているが下流部分で閉じている。縦溝流路は、まっすぐか、テーパ状か、またはダーツ付けされている。縦溝流路は、流入面と流出面の間で延びている。Ｚ型媒体を有するフィルタエレメントの例は、例えば、米国特許第５,８２０,６４６号、米国特許出願第２００３/０１２１８４５号、米国特許番号６,３５０,２９１号に記載され、これらの特許文献のそれぞれは、引用により本明細書に合体される。
【００１３】
本明細書に使用されるような用語「Ｚ型フィルタ構造物」は、波形加工された、折り曲げられた、または別の方法で形成されたフィルタの縦溝流路が、媒体を通過する流体流れに対して長手方向にフィルタの縦溝流路の組を画定するのに使用されるフィルタ構造物を指すことを意味する。流体は、対向する媒体の流入端部と流出端部の間で縦溝流路長さ方向に沿って流れる。Ｚ型フィルタ媒体のいくつかの例は、米国特許第５,７７２,８８３号、米国特許第５,９０２,３６４号、米国特許第５,７９２,２４７号、米国特許第５,８９５,５７４号、米国特許第６,２１０,４６９号、米国特許第６,１９０,４３２号、米国特許第６,３５０,２９６号、米国特許第６,１７９,８９０号、米国特許第６,２３５,１９５号、米国特許第ＤＥ３９９,９４４号米国特許第ＤＥ４２８,１２８号、米国特許第ＤＥ３９６,０９８号、米国特許第ＤＥ３９８,０４６号、米国特許第ＤＥ４３７,４０１号、これらの１５のそれぞれの引用文献は引用により本明細書中に合体する。
【００１４】
ある種類のＺ型フィルタ媒体は、互いに結合する２つの媒体コンポーネントを使用して媒体構造物を形成する。２つのコンポーネントは、（１）縦溝流路（通常は、波形）付き媒体シート（fluted media sheet）と（２）対面媒体シート（facing media sheet）である。対面媒体シートは、通常は、波形でない。しかしながら、対面媒体シートを波形とすることができる。例えば、２００４年２月１１日に出願され、引用により本明細書に合体される米国仮特許出願第６０/５４３，８０４号に記載されたように、縦溝流路方向に対して垂直な波形であり得る。
【００１５】
縦溝流路付き（通常は、波形）媒体シートと対面媒体シートは、互いに平行な入口縦溝流路と出口縦溝流路を有する媒体を画定するために使用される。すなわち、縦溝流路付きシートの対向する側部が流入領域と流出領域として作動可能である。ある例では、縦溝流路付きシートと非縦溝流路付でシートが互い固定され、次に、渦巻状に巻かれてＺ型フィルタ媒体構造物を形成する。このような構造物は、例えば、引用により本明細書に合体される米国特許第６,２３５,１９５号と同６,１７９,８９０号に記述されている。その他の構造物では、平らな媒体に固定された縦溝流路付き媒体の渦巻状でない部分を互いに積層して、フィルタ構造物を形成する。この例は、引用により本明細書に合体される米国特許第５,８２０,６４６号の図１１に記述されている。
【００１６】
通常は、縦溝流路付きシート／対面シートの組み合わせ（例えば、片面構造の媒体）を対面シートを外方向に向けた状態でその周りに渦巻に巻いて、渦巻状に巻いた媒体梱包体を形成する。渦巻状に巻く技術は、引用により本明細書に合体される、２００３年５月２日に出願された米国仮特許出願第６０／４６７，５２１号、２００４年３月１７日に国際特許出願第ＵＳ０４／０７９２７号として出願され２００４年９月３０日に公開された国際特許出願第２００４／０８２７９５号に記載されている。得られる渦巻状構成物は、通常は、媒体梱包体の外部表面として対面シートの一部を持つ。ある場合には、保護カバーを媒体梱包体の周りに提供することができる。
【００１７】
媒体の構造を示すために本明細書で使用される用語「波形にした（corrugated）」は、２本の波形ローラの間で、すなわち、２つのローラの間にあるニップまたは食込み間隙（bite）中に媒体を通過させて得られる縦溝流路付き構造（flute structure）を言うことを意味する。各波形ロールは、得られる媒体中に波形効果を引き起こすのに適した表面特性を有する。用語「波形（corrugation）」は、波形ローラ間の食込み間隙中に媒体を通過させない技術によって形成された縦溝流路を指さない。しかしながら、用語「波形にした」は、波形を形成した後に、例えば、２００４年１月２２日に国際公開され、本明細書に引用により合体される国際出願公開第２００４／００７０５４号に記述されるような折り曲げ技術によって、媒体が更に修正または変形される場合にも適用されることを意味する。
【００１８】
波形加工された媒体は、縦溝流路付き媒体の特別な形態である。縦溝流路付き媒体（fluted media）は、媒体を横切って延びている（例えば、波形加工、折曲加工）各縦溝流路を持つ媒体である。
【００１９】
Ｚ型フィルタ媒体を使用するフィルタエレメントまたはフィルタカートリッジ構成物は、「真っ直ぐに通過する流れの構成（straight through flow configuration）」またはこの変形と呼ばれる場合がある。一般に、この文脈において、点検整備可能なフィルタエレメンは、流れがフィルタカートリッジにほぼ同じまっすぐに通過する方向で流入し、流出する流入端部（または面）と流出端部（または面）とを一般的に持つことを意味する。用語「真っ直ぐに通過する流れの構成」は、この定義に対して、対面媒体の最も外側の巻き付け部を通過する媒体梱包体の空気流を無視する。いくつかの例では、各流入端部と各流出端部は、一般に平らまたは平らな表面であり、２つは互いに平行である。しかしながら、これからの変形、例えば、平らなでない表面は、いくつかの応用で使用することができる。また、対向する流入面と流出面の特徴は、流入面と流出面が平行であることを必要としない。所望であれば、流入面と流出面は、互いに平行な状態で提供することができる。あるいはまた、流入面と流出面は、流入面と流出面とが互いに平行でない角度で提供することができる。さらに、平らでない面は、非平行面と考えることができる。
【００２０】
一般に、媒体梱包体は、その中に適切な密閉物質を含んでいて、前方流れ面（流入面）から延長部分で完全に通過しかつ対向する楕円面（流出面）から外側方向に媒体梱包体を通過する空気の濾過されていない流れが無いことを保証する。
【００２１】
真っ直ぐに通過する流れ構成は、例えば、米国特許第６,０３９,７７８号に示されるタイプの筒状縦溝流路付きフィルタカートリッジとは対照的なものである。筒状縦溝流路付きフィルタカートリッジでは、流れは、一般的に、点検整備可能なフィルタカートリッジを通過するときに実質的に回転する。すなわち、米国特許第６,０３９,７７８号のフィルタでは、流れは、前進する流れのシステムでは、円筒状フィルタカートリッジに入り円筒状の側面を通過し、次に、回転して端面を通過して外に流れる。逆流れのシステムでは、流れは、点検可能な筒状カートリッジに入り、端面を通過し、次に、回転して、筒状フィルタカートリッジの側部を通過して外に出る。そのような逆流れのシステムの実施例は、米国特許第５,６１３,９９２号に示されている。
【００２２】
本明細書で使用するとき、用語「Ｚ型フィルタ媒体構造物（Z-filter media construction）」とその変形は、縦溝流路付き媒体シートと対面シートと、フィルタ媒体を通過するろ過流路無しに空気流が１つの流れ面から別の流れ面に流れないようにする適切な封止物（closure）とを持つ片面構造の媒体、および／または、渦巻き、積層、または他の方法で縦溝流路の三次元的ネットワークに形成された片面構造の媒体、および／または、片面構造の媒体を含むフィルタ構成物、および／または、三次元の縦溝流路のネットワークが（例えば、折り曲げまたは縦溝流路形成で）構成または形成された縦溝流路付き媒体のうちのいずれか、または、全てを言うことを意味する。一般に、適切な縦溝流路の封止物構成物を提供して、媒体の一方の側部（側面）に流入するろ過されていない空気が、媒体を出るろ過された空気流の一部として、媒体の他方の側部（側面）から流出しないようにすることは好ましい。多くの構造物において、Ｚ型媒体構造物は、入口および出口の縦溝流路ネットワークを形成するように構成されており、入口縦溝流路は、入口面に隣接する領域で開いていて出口面に隣接する領域で閉じており、出口縦溝流路は、入口面に隣接して閉じていて出口面に隣接して開いている。しかしながら、代替のＺ型媒体構成物は、可能であり、例えば、２００６年５月４日に公開されたバルドウィンフィルタ会社の米国特許出願第２００６／００９１０８４号が参照される。この構成物は、対向する流れ面の間に延びている縦溝流路と、ろ過されていない空気の流れが媒体梱包体を通過するのを妨ぐシール構成物とを有する。
【００２３】
作動において、空気などの濾過するべき流体は、入口２０を通ってエアクリーナ・システム１０中に流入する。そこから、流体はフィルタエレメント３２を通過して流れる。フィルタエレメント３２は、流体から粒子物質を除去する。次に、濾過された流体は、浄化した空気または濾過された流れチャンバ１５中に流入する。そこから、浄化した空気は、出口３４を通って流出する。定期的に、フィルタエレメント３２は、フィルタエレメント３２の下流側３６からフィルタエレメント３２の上流側３８まで空気噴出物（ジェット）などの流体ジェットを間欠的に作動（パルス）して洗浄されるだろう。特に、加圧ガス噴出物（ジェット）は、各フィルタエレメント３２のそれぞれに誘導する各吹き付けパイプ４０を通過して誘導される。このことは、加圧ガスジェットを下流（出口）側部３６から上流（入口）側部３８まで各フィルタエレメント３２を通過して誘導するだろう。このことは、ゴミと微粒子をフィルタエレメント３２の上流側３８からたたいて落とし、フィルタエレメント３２から取り除いたゴミと微粒子をホッパーに誘導するのを助ける。
【００２４】
図２にエアクリーナ・システム１０の一部の概略図を示す。図２では、吹き付けパイプ４０は、多孔板２８の開口部３０中の１つのフィルタエレメント３２に向けられていることを理解することができる。図２では、吹き付けパイプ４０は、吹き付けパイプ４０から供給されるパルスが開口部３０の平面と直角方向ではない角度で、かつフィルタエレメント３２を通過するろ過流れの一般的な方向ともに一直線に並んでない角度であるように、各フィルタエレメント３２に対して多孔板２８の各開口部３０を含む平らな表面６０（図３）中でフィルタエレメント３２に対してどのように配向されているかを理解することができる。用語「直角でない」によって、各フィルタエレメント３２に対して開口部３０を含む平面６０に対して鋭角または鈍角などの直交していない角度であることを意味する。用語「ろ過流れの一般的な方向と一直線に並んでない」によって、パルス流れの方向が、真直ぐに通過するろ過流れに対して、フィルタエレメント３２を通過する流れの方向に平行でない方向であることを意味する。流体パルスをそのような角度６４でフィルタエレメント３２に向けることによって、予測できる角度で広がる排気噴出物（ジェット）は、先行技術で通常使用される直径Ｄ１よりも大きい直径Ｄ２（図３）を形成する。
【００２５】
例示の実施例は、１つのフィルタエレメント３２に対応する１つの吹き付けパイプ４０のみを示しているが、多くの実施において、各フィルタエレメント３２に対して２つ以上の吹き付けパイプ４０があることを理解すべきである。
【００２６】
いくつかの実施例では、オプションのアキュムレータ構成物４２を使用することによって、少なくともパルスの一部を捕集することができる。アキュムレータ構成物４２は、吹き付けパイプ４０からのパルス流れを捕集する。１つの実施例では、アキュムレータ構成物４２は、多孔板２８の浄化した空気側１５に多孔板２８の開口部３０と隣接して配向されている第１プレート４４として示される少なくとも１枚のプレートを含む。第１プレート４４は、各フィルタエレメント３２に対して多孔板２８中の開口部３０に隣接して配置されており、壁、薄鋼板、パネル、バッフル、硬質プラスチックまたは略無孔性の固体構造であるかもしれない。
【００２７】
ある実施例では、アキュムレータ構成物は、第１プレート４４から多孔板２８で開口部３０の反対端部に配置された第２プレート４６を含む。図示された実施例では、第１プレート４４と第２プレート４６は、パルスの一般的な方向に並んでいるが、角度は、必ずしもパルス方向の角度と同じである必要はない。図２は、４８でパルス方向の中心線を示す。第１プレートは、多孔板２８に対して第１角度５０で取り付けられている。第１角度は、パルス方向の中心線４８の約５°以内である。同様に、第２プレート４６は、多孔板２８に対して第２角度５２で取り付けられている。第２角度５２は、パルス方向の中心線４８の約５°以内である。いくつかの実施例では、第１角度５０と第２角度５２は、等しくない。ある実施例では、第１角度５０と第２角度は、互いに平行から３０°以内の角度である。第１プレート４４、第２プレート４６の角度５０、５２は、パルスの角度５３に基づいて選択される。
【００２８】
図２に示すように、第１プレート４４は、長さＬ１を有する。長さＬ１は、好ましくは多孔板２８中の各開口部３０の長さの３倍以下である。これは、最初の流れの圧力損失が長さの増加とともに増加するからである。好ましくは、長さＬ１は、多孔板２８中の各開口部３０の長さの２５〜７５％の長さを有する。好適な実施例では、吹き付けパイプ４０は、パルスを放出するために多孔板から吹き付けパイプの内径の３０〜４０倍だけ離れたところで間隔をあけて配置されている。
【００２９】
図２で、参照番号７２は、パルス中心線４８とフィルタエレメント３２の中心の間のずれを示す。これは、パルスの中心線４８がフィルタエレメント３２の中心といつも一列に並んでいるわけではないことを示している。
【００３０】
１つの実施例では、各吹き付けパイプ４０に近いプレート（例示の実施例では第２プレート４６）は、他のプレート（この例では第１プレート４４）より短い長さを有する。１つの実施例では、短いプレート４６は、多孔板２８中のそれぞれの開口部３０の長さの５％未満である長さを有する。この構成は、空気流を押し出すための物質の節約と圧力損失の両方に有利である。
【００３１】
ここで図３を注目する。図３では、矢印６２は、先行技術のパルス方向を示す。先行技術では、標準パルス方向は、多孔板２８を含む平らな表面６０に垂直方向または直角方向に向けられる。角度６４は、矢印６２によって示される先行技術の標準パルス方向から縦方向にまたは標準方向にずれている。典型的なパルスの広がりは、吹き付けパイプ４０から角度６６で示される。上記説明されたように、吹き付けパイプ４０からの排気噴出物（ジェット）は、先行技術の構成物中の矢印６２で示される排気ジェットに由来する直径Ｄ１に対して、多孔板２８中の開口部３０の大きな表面積をカバーする直径Ｄ２を形成する。
【００３２】
１つの有用な構成物は、以下の角度と寸法を有する。角度６４は、２５°〜３５°であり、好ましくは２９°である。角度５０と５２は、等しく１８°〜２５°であり、好ましくは２２°〜２３°であり、第１プレート４４および第２プレート４６は、平行であり、ずれ７２は約１インチ（２５．４ｍｍ）であり、長さＬ１は、約１６〜２０インチ（４０６．４〜５０８ｍｍ）であり、好ましくは、約１８.７５インチ（４７６．３ｍｍ）であり、長さＬ２は、約６〜１０インチ（１５２．４〜２５４ｍｍ）であり、好ましくは約８.０インチ（２０３．２ｍｍ）である。
【００３３】
図４〜６は、コレクタハウジング１２中のフィルタエレメント３２用に有用な実施例を示す。フィルタエレメント３２は、Ｚ型媒体の媒体梱包体８０を含む。媒体梱包体８０には、対向する第１流れ面８１および第２流れ面８２と、第１流れ面および第２流れ面８１、８２の間に延びている側壁８３を有する。実施例では、第１流れ面８１は、下流（出口）流れ面３６に対応しており、一方、第２流れ面８２は、上流（入口）流れ面３８に対応している。
【００３４】
示された実施例では、媒体梱包体８０は、渦巻状構造物８６であり、筒状でない媒体梱包体を含む。代替の実施例では、媒体梱包体８０は、積層されたＺ型媒体の構造物であり得る。渦巻状構造物８６は、楕円形または競馬場形状であり得る総合的な断面形状を有する。示された実施例では、媒体梱包体８０は、丸い端部９０、９１によって結合された１組のまっすな平行側部８８、８９を有する競馬場形状である。他の実施例では、媒体梱包体８０は、円形、長方形、丸いコーナーを有する長方形であり得る。
【００３５】
一般に、フィルタエレメント３２は、第１流れ面８１から軸方向に延びているハンドル部材９４を含む。この実施例では、ハンドル部材９４は、人間の手を収容する大きさに作られた開口部９８を画定する突起物９６を含む。フィルタエレメント３２は、引用により本明細書中に合体される米国特許第６,２３５,１９５号とほぼ一致するように作ることができる。
【００３６】
この実施例では、フィルタエレメント３２は、平板として表現される中央コア部１００を含む。媒体梱包体８０は、コア部１００の周りに巻きつけられる。コア部１００は、第１流れ面の上方に突き出ていて、フィルタエレメント３２を操作するためのハンドル部材９４を画定する。
【００３７】
フィルタエレメント３２はさらにガスケット１０２を含む。ガスケット１０２は、側壁８３に固定されている。好ましい実施例では、ガスケット１０２は、媒体梱包体８０の側壁８３に直接成形される。他の実施例では、ガスケット１０２は、例えば、押出しプロセスを通してあらかじめ作られ、次に、のりまたは接着剤８３で媒体梱包体８０の側壁８３に取り付けられる。
【００３８】
本発明の原理によると、ガスケット１０２は、ガスケット１０２が第１流れ面８１と平らな表面と、第１流れ面８１から０.５インチ（１２．７ｍｍ）凹んでいる面との間にあるように、側壁８３に固定されている。言い換えれば、ガスケット１０２は、第１流れ面８１の（平らな表面と）が完全に同じ高さであるか、第１流れ面８１から０.５インチ（１２．７ｍｍ）以下で凹んでいる。用語「含む」によって、ガスケット１０２は、流れ面８１と同じ高さであり得るか、または、第１流れ面８１から０.５インチ（１２．７ｍｍ）だけ凹んでいるか、第１流れ面８１と同じ高さと０.５インチ（１２．７ｍｍ）だけ凹んでいる高さの間の範囲にあり得る。ガスケット１０２をこの位置に配置することによって、ガスケット１０２は、下流流れ面３６が多孔板２８とほぼ同じ高さとなるのを可能にするように多孔板２８中に媒体梱包体８０を配置する。この結果、下流流れ面３６が多孔板２８と同じ高さのときに、エネルギーロスするのが少ないので、フィルタエレメント３２のより効果的なパルス洗浄をもたらす。
【００３９】
図示された実施例では、ガスケット１０２は、シール部分１０４と取付部分１０６を有する。取付部分１０６は、媒体梱包体８０の側壁８３に直接固定されているガスケット１０２の一部である。シール部分１０４は、多孔板２８に対して圧縮されるガスケット１０２の一部であり、多孔板２８とシールを形成する。
【００４０】
図示された実施例では、シール部分１０４は、平らな表面１０８を有する。平らな表面１０８は、実際は、少なくとも１インチ（２５．４ｍｍ）の長さである。図５では、平らな表面１０８が第１流れ面８１とどのように平らであるかを理解することができる。図６の実施例では、平らな表面１０８は第１流れ面８１から距離１１０だけ凹んでいる。この距離は、０.５インチ（１２．７ｍｍ）以下である。
【００４１】
また図５を参照すると、ガスケット１０２は、取付部分１０６とシール部分１０４の間の下方切り込み１１２を画定する。また、図５でも見ることができるように、シール部分１０４は、第１の傾いた表面１１４と第２の傾いた表面１１６を含む。第１と第２の傾いた表面１１４、１１６は、頂点１１８で合流するように互いに向かって傾いている。第１の傾いた表面１１４と取付部分１０６は、基部１２０で結合している。第１の傾いた表面１１４は、基部１２０の取付部分１０６から頂点１１８まで延びているが、第２の傾いた表面１１６は、平らな表面１０８から頂点１１８に延びている。下方切り込み１１２は、第１の傾いた表面１１４と取付部分１０６の間のギャップとして画定される。図示された実施例では、取付部分１０６は頂点１１８の先の表面１０８から広がる延長部分を含んでいる。
【００４２】
図示された実施例では、下方切り込み１１２は、基部１２０から頂点１１８または図示された第１の傾いた表面１１４の端部までの垂直距離１２２によって画定される。この寸法１２２は、少なくとも０.５インチ（１２．７ｍｍ）である。
【００４３】
平らな表面１０８は、０°から２０°未満の角度で第１流れ面８１から下向きにかつ離れる方向に傾いている。
【００４４】
使用中に、フィルタエレメント３２は、下流流れ面３６が多孔板２８と同じ高さでまたは多孔板２８から０.５インチ（１２．７ｍｍ）未満で凹んでいる状態で集塵器１０中に取り付けられている。フィルタエレメント３２は、流体またはガス噴出物（ジェット）を下流流れ面３６中に周期的なパルスによって洗浄して、Ｚ型媒体梱包体８０の上流側３８上の少なくともいくらかの微粒子物質を媒体梱包体８０から除去されるすることができる。
【００４５】
一般原理
フィルタエレメントであって、前記フィルタエレメントは、対向する第１流れ面および第２流れ面と、前記第１流れ面および前記第２流れ面の間の方向に延びている縦溝流路と、前記第１流れ面および前記第２流れ面の間の方向に延びている側壁と、を含む媒体梱包体を含む。前記第１流れ面および前記第２流れ面のうちの一方は、流入面であり、他方は、流出面である。前記フィルタエレメントは、前記側壁に固定されたガスケットを含み、前記ガスケットは、シール部分と取付部分とを有する。前記シール部分は、少なくとも１インチ（２５．４ｍｍ）長さの平らな表面を有し、かつ前記第１流れ面と平らである面と、前記第１流れ面から０.５インチ（１２．７ｍｍ）だけ凹んでいる面との間にある。
【００４６】
前記媒体梱包体は、筒状でないかもしれない。
【００４７】
前記媒体梱包体は、楕円形であるかもしれない。
【００４８】
前記媒体梱包体は、丸い端部に結合された１組のまっすぐな平行側部を有する競馬場形状であるかもしれない。
【００４９】
前記ガスケットは、前記取付部分と前記シール部分との間に切り込みを画定することができる。前記シール部分は、頂点で合流するように互いの方向に傾いている、第１角度に傾いた表面と第２角度に傾いた表面とを含むことができる。前記第１角度に傾いた表面は、前記取付部分から前記頂点に延びることができる。前記第２角度に傾いた表面は、前記平らな面から前記頂点に延びることができる。前記切り込みは、前記第１角度に傾いた表面と前記取付部分との間でギャップとして画定されてもよい。前記第１角度に傾いた表面と前記取付部分とは、基部によって結合されているかもしれない。
【００５０】
前記基部から前記第１角度に傾いた表面の端部までの垂直方向の距離は、少なくとも０．５インチ（１２．７ｍｍ）であるかもしれない。
【００５１】
前記平らな表面は、前記第１流れ面から下向きの離れる方向に０°より大きく２０°未満の角度で傾いているかもしれない。
【００５２】
フィルタ媒体は、渦巻状構造物であるかもしれない。
【００５３】
前記第１の流れ面から軸方向に延びているハンドル部材をさらに含むかもしれない。
【００５４】
前記ハンドル部材は、人間の手を収容するような大きさに作られている開いている開口部を画定する突起物を含むかもしれない。
【００５５】
中央コア部をさらに含み、前記媒体梱包体が前記コア部の周りに巻き付けられていることができる。
【００５６】
前記中央コア部は、前記第１流れ面の上方に突き出ていて、前記フィルタエレメントを操作するためのハンドル部材を画定するかもしれない。
【００５７】
以下の構成の集塵器を含むことができる。前記集塵器は、汚れた空気の入口部と、浄化した空気の出口部と、内部と、を含むハウジングを有し、前記集塵器は、ハウジング内部に配置され、複数の開口部を有する多孔板を有し、前記集塵器は、パネル形式の複数のフィルタエレメントを有し、各フィルタエレメントは、前記多孔板中の前記複数の開口部のそれぞれに取り付けられており、（i）各フィルタエレメントは、対向する第１流れ面および第２流れ面と、前記第１流れ面および前記第２流れ面との間の方向に延びている縦溝流路と、前記第１流れ面および前記第２流れ面の間の方向に延びている側壁と、を含む媒体梱包体を含み、前記第１流れ面および前記第２流れ面のうちの一方は、流入面であり、他方は、流出面であり、各フィルタエレメントは、前記側壁に固定されたガスケットを含み、前記ガスケットは、シール部分と取付部分を有し、前記シール部分は、少なくとも１インチ（２５．４ｍｍ）長さの平らな表面を有し、かつ前記第１流れ面と平らである面と、前記第１流れ面から０.５インチ（１２．７ｍｍ）凹んでいる面との間にあり、前記ガスケットは、前記多孔板と密閉部を形成し、前記集塵器は、複数の吹き付けパイプを有し、各吹き付けパイプは、前記パネル形式のフィルタエレメントのそれぞれに、ある角度で流体パルスを向けるように配置されており、前記ある角度は、（i）前記多孔板中の前記開口部の平面と直角ではなく、前記パネル形式のフィルタのそれぞれを通過するろ過流れの一般的な方向と一直線をなしていない。
【００５８】
前記媒体梱包体は、丸い端部に結合された１組のまっすぐな平行側部を有する競馬場形状であり、前記フィルタ媒体は渦巻状構造物であることができる。
【００５９】
中央コア部は、前記媒体梱包体が前記コア部の周りに巻き付けられた状態で含むことができ、前記中央コア部は、前記第１流れ面の上方に突き出ていて、前記フィルタエレメントを操作するためのハンドル部材を画定することができる。
【００６０】
前記ガスケットは、前記取付部分と前記シール部分との間に切り込みを画定することができ、前記シール部分は、頂点で合流するように互いの方向に傾いている、第１角度に傾いた表面と第２角度に傾いた表面とを含み、前記第１角度に傾いた表面は、前記取付部分から前記頂点に延びており、前記第２角度に傾いた表面は、前記平らな面から前記頂点に延びており、前記切り込みは、前記第１角度に傾いた表面と前記取付部分との間でギャップとして画定され、前記第１角度に傾いた表面と前記取付部分とは、基部によって結合されていることができる。
【００６１】
集塵器に取り付けられたフィルタエレメントを洗浄する方法であって、前記方法は、集塵器ハウジング中の多孔板に密閉されているＺ型媒体のフィルタエレメントを提供する工程を有し、前記フィルタエレメントは、流入面と、流出面と、前記流入面および前記流出面の間に縦溝流路と、を有し、前記流出面が、前記多孔板と平らである面と、前記多孔板から０.５インチ（１２．７ｍｍ）だけ凹んでいる面との間にあるように前記多孔板にシールされており、前記方法は、前記Ｚ型媒体の上流側にある少なくともいくつかの粒子状物質が前記Ｚ型媒体から除去されるように、前記流出面にガス噴出物を周期パルスで供給する工程を含む。
【００６２】
上記の説明は、本発明の原理を利用する例である。本明細書に記載されたすべての特徴は、本開示に基づいていくつかの選択された利点を有するための構成物のために構成物中に必ずしも組み込まれる必要はない。
【図１】
0005765941.tif 000002
【図２】
0005765941.tif 000003
【図３】
0005765941.tif 000004
【図４】
0005765941.tif 000005
【図５】
0005765941.tif 000006
【図６】
0005765941.tif 000007